(57)【要約】【課題】ワイヤレス操作パネルを使用するオペレータが所望とする画像形成装置のある特定の情報を、操作パネルと画像形成装置本体とが無線通信を開始した段階で、いち早く操作パネル上で確認可能にすること。【解決手段】予め操作パネル３０００の初期画面としてジョブ状況画面、ジョブ履歴画面、デバイス情報画面、エラー画面、カウンタ確認画面のいずれかの情報表示画面を操作パネル３０００に設定しておく。そして、操作パネル３０００のＣＰＵ３１０１は、操作パネル３０００と画像形成装置本体１０００との無線通信が開始された場合、予め初期画面として設定された情報表示画面を操作パネル３０００上に表示するように制御する。【選択図】図２
2011097440.tif 000002
【特許請求の範囲】
【請求項１】
画像形成装置本体と無線通信可能な操作パネルを有する画像形成装置であって、
前記画像形成装置本体に関する情報を表示する複数の情報表示画面のいずれかを前記操作パネルの初期画面として設定する設定手段と、
前記操作パネルと前記画像形成装置本体との無線通信状態を判定する通信状態判定手段と、
前記通信状態判定手段によって前記操作パネルと前記画像形成装置本体との無線通信が開始されたと判定された場合、前記設定手段により初期画面に設定された情報表示画面を前記操作パネル上に表示するように制御する制御手段と、
を有することを特徴とする画像形成装置。
【請求項２】
前記制御手段は、前記設定手段により初期画面に設定された情報表示画面に応じた情報を、前記装置本体から取得して、前記情報表示画面内に表示することを特徴とする請求項１に記載の画像形成装置。
【請求項３】
前記複数の情報表示画面は、前記画像形成装置本体で実行中のジョブの状況を表示するジョブ状況画面、前記画像形成装置本体で実行したジョブの履歴を表示するジョブ履歴画面、前記画像形成装置本体のデバイス情報を表示するデバイス情報画面、前記画像形成装置本体のエラー情報を表示するエラー画面、前記画像形成装置本体のカウンタ情報を表示するカウンタ確認画面を含むことを特徴とする請求項２に記載の画像形成装置。
【請求項４】
前記制御手段は、前記設定手段により初期画面として前記ジョブ状況画面が設定され、且つ、前記画像形成装置本体において実行中のジョブが存在する場合に、前記ジョブ状況画面を表示することを特徴とする請求項３に記載の画像形成装置。
【請求項５】
前記制御手段は、前記設定手段により初期画面として前記エラー画面が設定され、且つ、前記画像形成装置本体においてエラー発生中の場合に、前記エラー画面を表示することを特徴とする請求項３又は４に記載の画像形成装置。
【請求項６】
画像形成装置本体と無線通信可能な操作パネルを有する画像形成装置であって、
前記操作パネルと前記画像形成装置本体との無線通信状態を判定する通信状態判定手段と、
前記通信状態判定手段によって前記操作パネルと前記画像形成装置本体との無線通信が開始されたと判定された場合、前記操作パネル上に表示されている情報表示画面に応じた情報を、前記装置本体から取得して、該取得した情報により前記操作パネル上に表示されている情報表示画面内の情報を更新するように制御する制御手段と、
を有することを特徴とする画像形成装置。
【請求項７】
前記制御手段は、前記操作パネル上に表示されている情報表示画面が、前記画像形成装置本体で実行中のジョブの状況を表示するジョブ状況画面、前記画像形成装置本体で実行したジョブの履歴を表示するジョブ履歴画面、前記画像形成装置本体のデバイス情報を表示するデバイス情報画面、前記画像形成装置本体のエラー情報を表示するエラー画面、又は、前記画像形成装置本体のカウンタ情報を表示するカウンタ確認画面である場合に、前記情報表示画面内の情報を更新するように制御することを特徴とする請求項６に記載の画像形成装置。
【請求項８】
前記制御手段は、前記操作パネル上に表示されている情報表示画面が前記ジョブ状況画面で、且つ、前記画像形成装置本体において実行中のジョブが存在する場合に、前記ジョブ状況画面を表示することを特徴とする請求項７に記載の画像形成装置。
【請求項９】
前記制御手段は、前記操作パネル上に表示されている情報表示画面が前記エラー画面で、且つ、前記画像形成装置本体においてエラー発生中の場合に、前記エラー画面を表示することを特徴とする請求項７又は８に記載の画像形成装置。
【請求項１０】
画像形成装置本体と無線通信可能な操作パネルを有する画像形成装置の制御方法であって、
設定手段が、前記画像形成装置本体に関する情報を表示する複数の情報表示画面のいずれかを前記操作パネルの初期画面とする設定を受け付ける設定ステップと、
通信状態判定手段が、前記操作パネルと前記画像形成装置本体との無線通信状態を判定する通信状態判定ステップと、
制御手段が、前記通信状態判定ステップで前記画像形成装置本体との無線通信が開始されたと判定された場合、前記設定ステップで初期画面として設定された情報表示画面を前記操作パネル上に表示するように制御する表示ステップと、
を有することを特徴とする画像形成装置の制御方法。
【請求項１１】
画像形成装置本体と無線通信可能な操作パネルを有する画像形成装置の制御方法であって、
通信状態判定手段が、前記操作パネルと前記画像形成装置本体との無線通信状態を判定する通信状態判定ステップと、
制御手段が、前記通信状態判定ステップで前記画像形成装置本体との無線通信が開始されたと判定された場合、前記操作パネル上に表示されている情報表示画面に応じた情報を、前記装置本体から取得して、前記操作パネル上に表示されている情報表示画面内の情報を更新するように制御する表示ステップと、
を有することを特徴とする画像形成装置の制御方法。
【請求項１２】
画像形成装置本体と無線通信可能な操作パネルを有する画像形成装置の前記操作パネルに設けられたプロセッサを、請求項１乃至９のいずれか１項に記載された画像形成装置の手段として機能させるためのプログラム。
【発明の詳細な説明】
【技術分野】
【０００１】
本発明は、装置本体に着脱可能な操作パネルを有する画像形成装置、画像形成装置の制御方法、及び、プログラムに関する。
【背景技術】
【０００２】
従来、画像形成装置には、画像形成装置本体（以下、本体）と一体となった操作パネルが接続されているのが一般的であった。また、操作パネルの初期画面表示処理においては、コピー機能、送信機能などの機能に対して、予め「初期機能の選択」設定によって初期画面の切り替えが可能であった。
【０００３】
また、操作パネルの画面表示を行う技術として、例えば、リモコン装置でアプリケーションを起動操作する際に、表示部のメッセージボックスに格納されたメッセージを表示し、ユーザに容易に認識させるものがあった（特許文献１）。
【０００４】
なお、近年、画像形成装置においては、操作パネルからフィニッシャまでの距離が１０数メートル離れた大型の装置がある。このような装置では、例えば、装置のエラー処理など行う際には、着脱可能なワイヤレス操作パネル（以下、操作パネル）があると非常に便利である。なお、例えば、複数個の操作パネルと複数台の本体が備えられた環境下では、複数台の本体に対し、各々の操作パネルを持つ複数のオペレータからアクセスが可能となる。
【先行技術文献】
【特許文献】
【０００５】
【特許文献１】特開２００８−１５８６０１号公報
【発明の概要】
【発明が解決しようとする課題】
【０００６】
上述のような環境下で、各々の操作パネルと持つ各々のオペレータが、複数台の本体を利用する場合、各々のオペレータが本体との無線接続後にいち早く取得したい画像形成装置の情報は、各々のオペレータによって異なる可能性がある。例えば、ジョブ状況、デバイス情報、エラー情報、カウンタ情報など、いち早く取得したい画像形成装置の情報は、各々のオペレータや、その状況によって異なる可能性がある。
【０００７】
しかし、従来の画像形成装置では、各々のオペレータが所望する画像形成装置のある特定の情報を、各々のオペレータが本体と接続した段階でいち早く取得する手段はなかった。このため、従来では、各々のオペレータが、各々の操作パネルと本体との無線通信を開始し、さらに各々の操作パネルを操作して、各々のオペレータが所望する画像形成装置の情報を本体から取得していたため、手間と時間がかかっていたいとう問題があった。
【０００８】
本発明は、上記の問題点を解決するためになされたものである。本発明の目的は、装置本体と無線通信可能な操作パネルを使用するオペレータが所望とする装置のある特定の情報を、操作パネルと装置本体とが無線通信を開始した段階で、いち早く操作パネル上で確認可能にする仕組みを提供することである。
【課題を解決するための手段】
【０００９】
本発明は、画像形成装置本体と無線通信可能な操作パネルを有する画像形成装置であって、前記画像形成装置本体に関する情報を表示する複数の情報表示画面のいずれかを前記操作パネルの初期画面として設定する設定手段と、前記操作パネルと前記画像形成装置本体との無線通信状態を判定する通信状態判定手段と、前記通信状態判定手段によって前記操作パネルと前記画像形成装置本体との無線通信が開始されたと判定された場合、前記設定手段により初期画面に設定された情報表示画面を前記操作パネル上に表示するように制御する制御手段とを有することを特徴とする。
【発明の効果】
【００１０】
本発明によれば、装置本体と無線通信可能な操作パネルを使用するオペレータが所望とする画像形成装置のある特定の情報を、操作パネルと装置本体とが無線通信を開始した段階で、いち早く操作パネル上で確認可能にできる。
【図面の簡単な説明】
【００１１】
【図１】本発明の一実施例を示す画像形成装置の利用環境を示す概略図である。
【図２】本体、ホームポジション、操作パネルの制御構成を示すブロック図である。
【図３】操作パネルのＬＣＤに表示する画面の一例を示す図である。
【図４】実施例１における操作パネルの初期画面設定の一例を示す図である。
【図５】実施例１の操作パネルの初期画面表示処理を示したフローチャートである。
【図６】実施例１の本体のデータ処理を示すフローチャートである。
【図７】操作パネルと本体とデータ処理を示すシーケンス図である。
【図８】実施例１に係る画像形成装置の動作の一例を示す図である。
【図９】実施例２の操作パネルの初期画面表示処理を示したフローチャートである。
【図１０】実施例２に係る画像形成装置の動作の一例を示す模式図である。
【発明を実施するための形態】
【００１２】
以下、本発明を実施するための形態について図面を用いて説明する。
本実施形態では、画像形成装置（画像処理装置）を例に説明するが、本発明はこれに限定されるものではない。
【実施例１】
【００１３】
図１は、本発明の一実施例を示す画像形成装置の利用環境を示す概略図である。
本実施例の画像形成装置（画像処理装置）は、いわゆるプリントオンデマンド（ＰＯＤ）機で、中綴じ製本、裁断、折加工などを行うことができる様々なオプションを組み合わせることで、多彩な印刷・製本要求に応えるものである。
【００１４】
図１記載の画像形成装置（画像処理装置）は、画像形成装置本体（以下、本体）１０００に対して、用紙デッキ５０００、バインダ６０００、フィニッシャ７０００を組み合わせた例を示している。
【００１５】
本体１０００は、ＬＡＮ８０００を介して、パーソナルコンピュータ９０００と接続されている。パーソナルコンピュータ９０００では、一つ一つのページの作成・編集から、製本、裁断、折加工などの設定といった、印刷ジョブの生成が行われる。生成された印刷ジョブは、ＬＡＮ８０００を介して、本体１０００に送られる。
【００１６】
また、図１では、本発明の特徴である着脱可能な操作パネル３０００が、本体１０００上に実装されたホームポジション２０００に装着されている様子を示している。
着脱可能な操作パネル３０００は、ホームポジション２０００に装着されているとき、ホームポジション２０００から供給される電力により充電されるように構成されている。
なお、用紙デッキ５０００、バインダ６０００、フィニッシャ７０００などのオプションは、本発明に直接関係がないので、詳細な説明は割愛する。
【００１７】
図２は、本体１０００、ホームポジション２０００、操作パネル３０００の制御構成を示すブロック図である。以下、本体１０００、ホームポジション２０００、操作パネル３０００のそれぞれを構成するモジュールについて説明する。
まず、本体１０００について説明する。
図２に示すように、本体１０００は、主に、コントローラボード１１００、プリントエンジン１２００、スキャナ１３００、ハードディスクドライブ（ＨＤＤ）１４００、電源モジュール１５００から構成される。それぞれのデバイスは、電源モジュール１５００によって供給される電力によって動作する。
【００１８】
コントローラボード１１００は、ＣＰＵ１１０１、ＦＬＡＳＨ ＲＯＭ１１０２、ＲＡＭ１１０３、ネットワークインタフェースカード（ＮＩＣ）１１０４、メインチャネルコントローラ１１０５、サブチャネルコントローラ１１０６、ディスクコントローラ（ＤＫＣ）１１０７、スキャナインタフェース（ＳＩＦ）１１０８、プリンタインタフェース（ＰＩＦ）１１０９を備えている。デバイス１１０１〜１１０９のそれぞれは、バス１１１０を介して接続されている。
【００１９】
ＣＰＵ１１０１は、バス１１１０に接続される各デバイスを総括的に制御すると共に、ＦＬＡＳＨ ＲＯＭ１１０２及びＨＤＤ１４００に記憶された、制御プログラムとしてのファームウェアモジュールを実行するプロセッサである。ＲＡＭ１１０３は、ＣＰＵ１１０１の主メモリ、ワークエリアとして機能する。
【００２０】
ＮＩＣ１１０４は、ＬＡＮ８０００を介して、パーソナルコンピュータ９０００や、他の画像形成装置と双方向にデータのやり取りを行う。ＨＤＤ１４００は、ＤＫＣ１１０７を介してアクセスされ、ファームウェアモジュールを格納するだけでなく、画像の一時記憶場所としても使用される。
【００２１】
本体１０００に組み付けられたスキャナ１３００は、読み取りセンサや原稿搬送機構等を備える（いずれも不図示）。読み取りセンサや原稿搬送機構等は、コントローラボード１１００上に実装されたＳＩＦ１１０８及びスキャナ１３００上に実装されたＳＩＦ１３０１を介して、ＣＰＵ１１０１で実行されるファームウェアモジュールに基づいて制御される。その結果として、読み取りセンサによって原稿を読み取り、得られたデータをＳＩＦ１３０１及びＳＩＦ１１０８を介してコントローラボード１１００に転送する。
【００２２】
本体１０００に内蔵されたプリントエンジン１２００は、電子写真方式の記録部や記録紙カセット、用紙搬送部等を備える（いずれも不図示）。コントローラボード１１００からは、印刷ジョブに基づく印刷要求がＰＩＦ１１０９及びプリントエンジン１２００上に実装されたＰＩＦ１２０１を介して送られる。記録部や用紙搬送部等は、同様にＰＩＦ１１０９及びＰＩＦ１２０１を介して、ＣＰＵ１１０１で実行されるファームウェアモジュールに基づいて制御される。その結果として、用紙上に印刷要求に応じた画像を形成する。
【００２３】
メインチャネルコントローラ１１０５及びサブチャネルコントローラ１１０６は、本体１０００と、本発明の特徴である着脱可能な操作パネル３０００とのやり取りを行う際に使用される。詳細は後述する。
【００２４】
次に、ホームポジション２０００について説明する。
図２に示すように、ホームポジション２０００は、主にメインボード２１００とコネクタ２２００から構成される。
ホームポジション２０００を構成するメインボード２１００は、主にＩＥＥＥ８０２．１１ｂモジュール２１０１、ｉｒＤＡモジュール２１０２、電源コントローラ２１０３から構成される。
【００２５】
ＩＥＥＥ８０２．１１ｂモジュール２１０１は、コントローラボード１１００のメインチャネルコントローラ１１０５と接続され、コントローラボード１１００からの要求に基づいて、操作パネル３０００との無線通信を仲介する。
【００２６】
また、ｉｒＤＡモジュール２１０２は、コントローラボード１１００のサブチャネルコントローラ１１０６と接続され、コントローラボード１１００からの要求に基づいて、操作パネル３０００との赤外線通信を仲介する。
【００２７】
電源コントローラ２１０３は、電源モジュール１５００と接続されている。ＩＥＥＥ８０２．１１ｂモジュール２１０１やｉｒＤＡモジュール２１０２は、電源コントローラ２１０３経由で電力の供給を受ける。また、電源コントローラ２１０３は、コネクタ２２００とも接続され、操作パネル３０００のコネクタ３５００が接触状態のとき、操作パネルにも電力を供給する。加えて、電源コントローラ２１０３は、電力の供給状態を監視し、ホームポジション２０００と操作パネル３０００とが装着状態にあるか否かを検出し、コントローラボード１１００に伝達する。
【００２８】
次に、操作パネル３０００について説明する。
図２に示すように、着脱可能な操作パネル３０００は、主にメインボード３１００、ＬＣＤ３２００、タッチパネル３３００、ボタンデバイス３４００、コネクタ３５００から構成される。
【００２９】
メインボード３１００は、主にＣＰＵ３１０１、ＩＥＥＥ８０２．１１ｂモジュール３１０２、ｉｒＤＡモジュール３１０３、電源コントローラ３１０４、ディスプレイコントローラ（ＤＩＳＰＣ）３１０５、パネルコントローラ（ＰＡＮＥＬＣ）３１０６、ＦＬＡＳＨ ＲＯＭ３１０７、ＲＡＭ３１０８から構成される。それぞれのモジュール３１０１〜３１０８は、コントローラボード１１００と同様に、バス（不図示）によって接続されている。
【００３０】
ＣＰＵ３１０１は、バスに接続される各デバイスを総括的に制御すると共に、ＦＬＡＳＨ ＲＯＭ３１０７に記憶された、制御プログラムとしてのファームウェアモジュールを実行するプロセッサである。ＲＡＭ３１０８は、ＣＰＵ３１０１の主メモリ、ワークエリア、および、ＬＣＤ３２００に表示するビデオイメージ用エリアとして機能する。
【００３１】
ディスプレイコントローラ（ＤＩＳＰＣ）３１０５は、ＣＰＵ３１０１の要求に応じて、ＲＡＭ３１０８に展開されたビデオイメージをＬＣＤ３２００へ転送するとともに、ＬＣＤ３２００を制御する。結果として、ＬＣＤ３２００上にイメージが表示される。
【００３２】
パネルコントローラ（ＰＡＮＥＬＣ）３１０６は、ＣＰＵ３１０１の要求に応じて、タッチパネル３３００およびボタンデバイス３４００を制御する。その制御によって、タッチパネル３３００上の押下位置や、ボタンデバイス３４００上の押下されたキーコードなどが、ＣＰＵ３１０１に返送される。
【００３３】
電源コントローラ３１０４は、コネクタ３５００と接続され、ホームポジション２０００のコネクタ２２００が接触状態のとき、本体１０００の電源モジュール１５００から電力の供給を受ける。これによって、電源コントローラ３１０４に接続された充電池（不図示）を充電しながら、且つ、操作パネル３０００全体に電力を供給する。もし、電源モジュール１５００から電力が供給されないときは、充電池からの電力を操作パネル３０００全体に供給する。
【００３４】
ＩＥＥＥ８０２．１１ｂモジュール３１０２は、ＣＰＵ３１０１の制御に基づいて、ホームポジション２０００上のＩＥＥＥ８０２．１１ｂモジュール２１０１との無線通信を確立し、本体１０００との通信を仲介する。
【００３５】
ｉｒＤＡモジュール３１０３は、ＣＰＵ３１０１の制御に基づいて、ホームポジション２０００上のｉｒＤＡモジュール２１０２との赤外線通信を確立し、本体１０００との通信を仲介する。
【００３６】
ここで、本実施例におけるメインチャネルとしての無線通信について説明する。
図２の説明で少し触れたように、本実施例では、メインチャネルとしての無線通信は公知の技術であるＩＥＥＥ８０２．１１ｂの規格に準じて行われる。もう少し詳しく書くと、本実施例のシステムでは、本体１０００がアクセスポイント（ＡＰ）、操作パネル３０００が端末となるインフラストラクチャモードで無線通信が行われる。
【００３７】
電波が届く範囲に複数の本体がある場合、既存のパーソナルコンピュータのように、操作パネル３０００側に、通信可能な複数の本体のＥＳＳＩＤが表示され、そのうちのひとつを選択できるように構成されている。
【００３８】
アソシエーションによって通信相手が確立した後、本実施例の操作パネル３０００は、画面転送方式のシンクライアントとして動作する。すなわち、実処理やビデオイメージ生成のほとんどは、本体１０００のＣＰＵ１１０１で実行される。出来上がったビデオイメージは、予め定められたプロトコルで、本体１０００から操作パネル３０００に無線で送られる。ビデオイメージを受け取った操作パネル３０００のＣＰＵ３１０１は、送られてきたビデオイメージをＲＡＭ３１０８に展開しながら、ＤＩＳＰＣ３１０５制御してＬＣＤ３２００上にビデオイメージを表示させる。
【００３９】
一方、操作パネル３０００のタッチパネル３３００及びボタンデバイス３４００に対するユーザの操作に関連する情報も、予め定められたプロトコルで、操作パネル３０００から本体１０００に無線で送られる。操作に関連する情報は、例えばタッチパネル３３００上の押下位置や、ボタンデバイス３４００上の押下されたキーコードなどに当たる。操作に関連する情報を受け取った本体１０００のＣＰＵ１１０１は、送られてきた情報に基づいて個々の動作を制御する。必要に応じてビデオイメージを更新し、先に説明したようにビデオイメージを操作パネル３０００に送る。
以上のように、本実施例のシステムは、本体１０００と操作パネル３０００とが無線通信可能なシステムである。
【００４０】
図３は、操作パネル３０００のＬＣＤ３２００に表示する画面の一例を示す図である。以下、各画面について説明する。
図３において、画面（ａ）は、操作パネル３０００が本体１０００から取り外され、且つ、本体１０００と未通信の状態において、操作パネル３０００が表示するコピースタンバイ画面である。なお、この画面（ａ）にはコピー設定が可能であることを示すメッセージが表示されている。
【００４１】
画面（ｂ）は、本体１０００が何枚印刷を行ったかを示すカウンタを表示するカウンタ確認画面である。
画面（ｃ）は、本体１０００の前カバー、又は、左カバーが開いている状態を示すエラー画面である。
画面（ｄ）は、本体１０００における印刷中にジャムが発生した状態を示すエラー画面である。
画面（ｅ）は、本体１０００のデバイス情報（カセット情報や有効な機能など）を示すデバイス情報画面である。
画面（ｆ）は、本体１０００がジョブ実行中におけるジョブ状況を示すジョブ状況画面である。
画面（ｇ）は、本体１０００がジョブ未実行の状態におけるジョブ状況を示すジョブ状況画面である。
画面（ｈ）は、本体１０００がジョブ実行中において、そのジョブ状況の詳細情報を示すジョブ詳細情報画面である。
画面（ｉ）は、本体１０００が実行したジョブの履歴を示すジョブ履歴画面である。
画面（ｊ）は、操作パネル３０００と本体１０００とが通信状態であるときのコピースタンバイ画面である。なお、この画面（ｊ）にはコピーが可能であることを示すメッセージが表示されている。
【００４２】
次に、本発明の実施例１に関わる画像形成装置の初期画面表示について説明する。
実施例１の画像形成装置は、着脱可能な操作パネル３０００に、予め初期画面としてジョブ状況やジョブ履歴、カウンタ情報、エラー情報、デバイス情報などの情報表示画面を表示するよう設定しておく。そして、取り外されている操作パネル３０００が本体１０００に近づき、通信状態になった際には、上記設定に応じて初期画面を表示するものである。
【００４３】
図４は、実施例１における操作パネル３０００の初期画面設定の一例を示す図である。
実施例１の初期画面設定は、設定（１）〜設定（３）を含む。
設定（１）の設定項目『「カウンタ確認画面」を初期画面にする』は、図３（ｂ）のカウンタ確認画面を初期画面にするか否かを設定するものである。
設定（２）の設定項目『「エラー状況画面」を優先にする』は、図３（ｃ）や図３（ｄ）のエラー画面を優先して表示するか否かを設定するものである。
設定（３）の設定項目『「システム状況画面」の初期画面の選択』は、図３（ｅ）のデバイス情報画面や、図３（ｆ）や図３（ｇ）のジョブ状況画面、図３（ｉ）のジョブ履歴画面を初期画面にするか否かを設定するものである。
【００４４】
これらの初期画面設定は、ユーザが操作パネル３０００にて行うことができる。そして、操作パネル３０００上で設定されたこれらの初期画面設定は、操作パネル３０００のＦＬＡＳＨ ＲＯＭ３１０７に格納される。
【００４５】
以下、図５〜図８を参照して、実施例１の画像形成装置における初期画面表示処理について説明する。なお、先に説明した通り、本体１０００と操作パネル３０００は、メインチャネルとして、公知の技術でＩＥＥＥ８０２．１１ｂの無線通信を確立する。図５では、公知の技術である無線通信の確立に係る部分については割愛する。
【００４６】
図５は、実施例１の操作パネル３０００の初期画面表示処理を示したフローチャートである。
図６は、実施例１の本体１０００のデータ処理を示すフローチャートである。
図７は、操作パネル３０００と本体１０００とデータ処理を示すシーケンス図である。
まず、図５、図７を用いて、操作パネル３０００の初期画面表示処理を説明する。なお、図５のフローチャートの各ステップは、操作パネル３０００のＣＰＵ３１０１がＦＬＡＳＨ ＲＯＭ３１０７に記録された制御プログラムを読み出して実行することにより実現される。
【００４７】
ステップＳ１において、操作パネル３０００のＣＰＵ３１０１は、メインチャネルの無線通信状態を判定し（通信状態判定処理）、本体１０００と無線通信中か否かを判定する。そして、メインチャネルとしての無線通信による通信中でないと判定した場合（Ｓ１でＮｏ）、ＣＰＵ３１０１は、ステップＳ２において、本体１０００とメインチャネル通信を確立するための要求（図７のＳＱ１）を装置本体に送信する。なお、メインチャネルの電波が届く範囲に複数の本体がある場合、操作パネル３０００側に、通信可能な複数の本体のＥＳＳＩＤが表示され、そのうちのひとつをユーザに選択させ、該選択されたＥＳＳＩＤの本体に上記要求を送信するものとする。そして、ステップＳ３において、ＣＰＵ３１０１は、本体１０００からの通信を許可する旨の応答を受信したかどうかで本体１０００を検出したか否かを判定し、本体１０００を検出するまでステップＳ２を繰り返す。
【００４８】
そして、上記ステップＳ３において、本体１０００を検出したと判定した場合（Ｓ３でＹｅｓ）、ＣＰＵ３１０１は、本体１０００とのメインチャネル通信を確立し、ステップＳ４に処理を進める。
【００４９】
ステップＳ４では、ＣＰＵ３１０１は、本体１０００の装置ＩＤや有効な機能などの装置情報の確認する（図７のＳＱ２）。詳細には、ＣＰＵ３１０１は、本体１０００に装置情報確認要求（本体１０００の装置ＩＤや有効な機能などの装置情報の確認する要求）送信し、該装置情報を本体１０００から受信する。そして、ステップＳ５に処理を進める。
【００５０】
一方、上記ステップＳ１において、メインチャネルとしての無線通信により本体１０００と通信中であると判定した場合（Ｓ１でＹｅｓ）、ＣＰＵ３１０１は、そのままステップＳ５に処理を進める。
【００５１】
ステップＳ５では、ＣＰＵ３１０１は、操作パネル３０００が本体１０００上のホームポジション２０００に置かれ、操作パネル３０００と本体１０００とが接続されているか否かを判定する。そして、操作パネル３０００と本体１０００とが接続されていると判定した場合（Ｓ５でＹｅｓ）、ＣＰＵ３１０１は、本フローチャートの処理を終了する。
【００５２】
一方、操作パネル３０００と本体１０００とが接続されていないと判定した場合（Ｓ５でＮｏ）、ＣＰＵ３１０１は、ステップＳ６に処理を進める。
なお、ステップＳ６以降では、ＣＰＵ３１０１は、ＦＬＡＳＨ ＲＯＭ１１０２に保持された初期画面設定（図４の設定（１）〜設定（３））を読み出して各判定を行うものとする。
【００５３】
ステップＳ６では、ＣＰＵ３１０１は、図４の設定（１）が「カウンタ確認画面」を初期画面にする設定か否かを判定する。そして、設定（１）が「カウンタ確認画面」を初期画面にする設定であると判定した場合（Ｓ６でＹｅｓ）、ＣＰＵ３１０１は、ステップＳ７に処理を進める。
【００５４】
ステップＳ７では、ＣＰＵ３１０１は、本体１０００にカウンタ情報の取得要求を行う（図７のＳＱ３）。そして、ステップＳ８において、ＣＰＵ３１０１は、本体１０００からカウンタ情報のデータを受信し、該受信したカウンタ情報を表示したカウンタ確認画面（図３の画面（ｂ））を表示する。そして、ステップＳ２５において、ＣＰＵ３１０１は、カウンタ確認画面（図３の画面（ｂ））が閉じられるまで待機し、該画面が閉じられたら本フローチャートの処理を終了する。
【００５５】
一方、上記ステップＳ６において、設定（１）が「カウンタ確認画面」を初期画面にしない設定であると判定した場合（Ｓ６でＮｏ）、ＣＰＵ３１０１は、ステップＳ９に処理を進める。
【００５６】
ステップＳ９では、ＣＰＵ３１０１は、図４の設定（２）が「エラー状況画面」を優先表示する設定か否かを判定する。そして、設定（２）が「エラー状況画面」を優先表示する設定であると判定した場合（Ｓ９でＹｅｓ）、ＣＰＵ３１０１は、ステップＳ１０に処理を進める。
【００５７】
ステップＳ１０では、ＣＰＵ３１０１は、本体１０００にエラー情報の取得要求を行い（図７のＳＱ４）、ステップＳ１１において、本体１０００からエラー情報のデータを受信する。そして、ステップＳ１２において、ＣＰＵ３１０１は、上記ステップＳ１１で本体１０００から取得したデータ内にエラー情報が含まれている（即ち、本体１０００でエラー発生中）か否かを判定する。そして、本体１０００から取得したデータ内にエラー情報が含まれていない（本体１０００でエラー発生中でない）と判定した場合（Ｓ１２でＮｏ）、ＣＰＵ３１０１は、ステップＳ２６に処理を進める。ステップＳ２６では、ＣＰＵ３１０１は、コピースタンバイ画面（図３の画面（ｊ））表示し、本フローチャートの処理を終了する。なお、ステップＳ１２でＮｏの場合に、ステップＳ１４に処理を移行するように構成してもよい。
【００５８】
一方、上記ステップＳ１２において、本体１０００から取得したデータ内にエラー情報が含まれている（本体１０００でエラー発生中）と判定した場合（Ｓ１２でＹｅｓ）、ＣＰＵ３１０１は、ステップＳ１３に処理を進める。
【００５９】
ステップＳ１３では、ＣＰＵ３１０１は、上記エラー情報を表示したエラー画面を表示する。例えば、本体１０００の前カバー、又は、前カバーが開いているときは、そのカバーが開いている場所を示すエラー画面（図３の画面（ｃ））を表示する。また、本体１０００が印刷中にジャムが発生したときは、そのジャム発生箇所を示すエラー画面（図３の画面（ｄ））を表示する。そして、ステップＳ２５において、ＣＰＵ３１０１は、上述のエラー画面が閉じられるまで待機し、該画面が閉じられたら本フローチャートの処理を終了する。
【００６０】
一方、上記ステップＳ９において、設定（２）が「エラー状況画面」を優先表示しない設定であると判定した場合（Ｓ９でＮｏ）、ＣＰＵ３１０１は、ステップＳ１４に処理を進める。
【００６１】
ステップＳ１４では、ＣＰＵ３１０１は、図４の設定（３）が「システム状況画面」として「デバイス情報画面」を初期画面にする設定か否かを判定する。そして、設定（３）が「システム状況画面」として「デバイス情報画面」を初期画面にする設定であると判定した場合（Ｓ１４でＹｅｓ）、ＣＰＵ３１０１は、ステップＳ１５において、本体１０００にデバイス情報の取得要求を行う（図７のＳＱ５）。そして、ステップＳ１６において、ＣＰＵ３１０１は、本体１０００からデバイス情報のデータを受信し、該データを表示したデバイス情報画面（図３の画面（ｅ））を表示する。そして、ステップＳ２５において、ＣＰＵ３１０１は、上述のデバイス情報画面が閉じられるまで待機し、該画面が閉じられたら本フローチャートの処理を終了する。
【００６２】
一方、上記ステップＳ１４において、設定（３）が「システム状況画面」として「デバイス情報画面」を初期画面にしない設定であると判定した場合（Ｓ１４でＮｏ）、ＣＰＵ３１０１は、ステップＳ１７に処理を進める。
【００６３】
ステップＳ１７では、ＣＰＵ３１０１は、設定（３）が「システム状況画面」として「ジョブ履歴画面」を初期画面にする設定か否かを判定する。そして、設定（３）が「システム状況画面」として「ジョブ履歴画面」を初期画面にする設定であると判定した場合（Ｓ１７でＹｅｓ）、ＣＰＵ３１０１は、本体１０００にジョブ履歴の取得要求を行う（図７のＳＱ６）。そして、ステップＳ１９において、ＣＰＵ３１０１は、本体１０００からジョブ履歴のデータを受信し、該受信したデータを表示したジョブ履歴画面（図３の画面（ｉ））を表示する。そして、ステップＳ２５において、ＣＰＵ３１０１は、上述のジョブ履歴画面が閉じられるまで待機し、該画面が閉じられたら本フローチャートの処理を終了する。
【００６４】
一方、上記ステップＳ１７において、設定（３）が「システム状況画面」として「ジョブ履歴画面」を初期画面にしない設定であると判定した場合（Ｓ１７でＮｏ）、ＣＰＵ３１０１は、ステップＳ２０に処理を進める。
【００６５】
ステップＳ２０では、ＣＰＵ３１０１は、設定（３）が「システム状況画面」として「ジョブ状況画面」を初期画面にするか否かを判定する。そして、設定（３）が「システム状況画面」として「ジョブ状況画面」を初期画面にすると判定した場合（Ｓ２０でＹｅｓ）、ＣＰＵ３１０１は、ステップＳ２１において、本体１０００にジョブ状況の取得要求を行う（図７のＳＱ７）。そして、ステップＳ２２において、ＣＰＵ３１０１は、本体１０００からジョブ履歴のデータを受信し（Ｓ２２）、ステップＳ２３において、該受信したデータに基づいて実行中ジョブが存在するか否かを判定する。
【００６６】
そして、上記ステップＳ２３において、実行中のジョブが存在すると判定した場合（Ｓ２３でＹｅｓ）、ＣＰＵ３１０１は、ステップＳ２４に処理を進める。ステップＳ２４では、ＣＰＵ３１０１は、上記受信したジョブ履歴のデータを表示したジョブ状況画面（図３の画面（ｆ））を表示する。そして、ステップＳ２５において、ＣＰＵ３１０１は、上述のジョブ状況画面が閉じられるまで待機し、該画面が閉じられたら本フローチャートの処理を終了する。
【００６７】
一方、上記ステップＳ２３において、実行中のジョブが存在しないと判定した場合（Ｓ２３でＮｏ）、ＣＰＵ３１０１は、ステップＳ２６に処理を進める。ステップＳ２６では、ＣＰＵ３１０１は、コピースタンバイ画面（図３の画面（ｊ））表示し、本フローチャートの処理を終了する。
【００６８】
次に、図６、図７を用いて、本体１０００のデータ処理を説明する。なお、図６のフローチャートの各ステップは、本体１０００のＣＰＵ１１０１がＦＬＡＳＨ ＲＯＭ１１０２に記録された制御プログラムを読み出して実行することにより実現される。
【００６９】
まず、Ｓ１０１において、本体１０００のＣＰＵ１１０１は、メインチャネルの無線通信状態を判定し（通信状態判定処理）、操作パネル３０００と無線通信中か否かを判定する。そして、メインチャネルとしての無線通信による通信中でないと判定した場合（Ｓ１０１でＮｏ）、ＣＰＵ１１０１は、ステップＳ１０２に処理を進める。
【００７０】
ステップＳ１０２では、ＣＰＵ１１０１は、メインチャネル通信を行うための処理として、ＥＳＳＩＤを含む情報をブロードキャストして、自身のＥＳＳＩＤを操作パネル３０００に告知し、ステップＳ１０３に処理を進める。
【００７１】
ステップＳ１０３では、ＣＰＵ１１０１は、操作パネル３０００からの上記要求（図７のＳＱ１）を受信したかどうかで操作パネル３０００を検出したか否かを判定し、操作パネル３０００を検出するまでステップＳ１０２の処理を繰り返す。
【００７２】
そして、上記ステップＳ１０３にて、操作パネル３０００を検出したと判定した場合（Ｓ１０３でＹｅｓ）、ＣＰＵ３１０１は、操作パネル３０００に対して通信を許可する旨の応答を送信して操作パネル３０００とのメインチャネル通信を確立する。そして、ステップＳ１０４に処理を進める。
【００７３】
ステップＳ１０４では、ＣＰＵ３１０１は、装置情報確認処理を行う（図７のＳＱ２）。詳細には、ＣＰＵ３１０１は、操作パネル３０００から送信される装置情報確認要求（本体１０００の装置ＩＤや有効な機能等の装置情報の確認要求）を受信すると、ＦＬＡＳＨ ＲＯＭ１１０２に保持される上記装置情報を取得して操作パネル３０００に送信する。そして、ステップＳ１０５に処理を進める。
【００７４】
一方、上記ステップＳ１０１において、メインチャネルとしての無線通信により操作パネル３０００と通信中であると判定した場合（Ｓ１０１でＹｅｓ）、ＣＰＵ１１０１は、そのままステップＳ１０５に処理を進める。
【００７５】
ステップＳ１０５では、ＣＰＵ１１０１は、操作パネル３０００から送信されるカウンタ情報取得要求（図７のＳＱ３）の有無を判定する。そして、カウンタ情報取得要求を受信したと判定した場合（Ｓ１０５でＹｅｓ）、ＣＰＵ１１０１は、ステップＳ１０６に処理を進める。ステップＳ１０６では、ＣＰＵ１０１は、本体１０００の不揮発性メモリ（例えば、ＦＬＡＳＨ ＲＯＭ１１０２やＨＤＤ１４００）に保持されるカウント情報を取得して操作パネル３０００に送信し、ステップＳ１０１に処理を戻す。
【００７６】
一方、上記ステップＳ１０５にて、カウンタ情報取得要求を受信していないと判定した場合（Ｓ１０５でＮｏ）、ＣＰＵ１１０１は、ステップＳ１０７に処理を進める。
ステップＳ１０７では、ＣＰＵ１１０１は、操作パネル３０００から送信されるエラー情報取得要求（図７のＳＱ４）の有無を判定する。そして、エラー情報取得要求を受信したと判定した場合（Ｓ１０７でＹｅｓ）、ＣＰＵ１１０１は、ステップＳ１０８に処理を進める。ステップＳ１０８では、ＣＰＵ１０１は、本体１０００で発生しているエラーのエラー情報を本体１０００の不揮発性メモリ（例えば、ＦＬＡＳＨ ＲＯＭ１１０２やＨＤＤ１４００）から取得して操作パネル３０００に送信し、ステップＳ１０１に処理を戻す。
【００７７】
一方、上記ステップＳ１０７にて、エラー情報取得要求を受信していないと判定した場合（Ｓ１０７でＮｏ）、ＣＰＵ１１０１は、ステップＳ１０９に処理を進める。
ステップＳ１０９では、ＣＰＵ１１０１は、操作パネル３０００から送信されるデバイス情報取得要求（図７のＳＱ５）の有無を判定する。そして、デバイス情報取得要求を受信したと判定した場合（Ｓ１０９でＹｅｓ）、ＣＰＵ１１０１は、ステップＳ１１０に処理を進める。ステップＳ１１０では、ＣＰＵ１０１は、本体１０００のデバイス情報を本体１０００の不揮発性メモリ（例えば、ＦＬＡＳＨ ＲＯＭ１１０２やＨＤＤ１４００）から取得して操作パネル３０００に送信し、ステップＳ１０１に処理を戻す。
【００７８】
一方、上記ステップＳ１０９にて、デバイス情報取得要求を受信していないと判定した場合（Ｓ１０９でＮｏ）、ＣＰＵ１１０１は、ステップＳ１１１に処理を進める。
ステップＳ１１１では、ＣＰＵ１１０１は、操作パネル３０００から送信されるジョブ履歴取得要求（図７のＳＱ６）の有無を判定する。そして、ジョブ履歴取得要求を受信したと判定した場合（Ｓ１１１でＹｅｓ）、ＣＰＵ１１０１は、ステップＳ１１２に処理を進める。ステップＳ１１２では、ＣＰＵ１０１は、本体１０００のジョブ履歴を本体１０００の不揮発性メモリ（例えば、ＦＬＡＳＨ ＲＯＭ１１０２やＨＤＤ１４００）から取得して操作パネル３０００に送信し、ステップＳ１０１に処理を戻す。
【００７９】
一方、上記ステップＳ１１１にて、ジョブ履歴取得要求を受信していないと判定した場合（Ｓ１１１でＮｏ）、ＣＰＵ１１０１は、ステップＳ１１３に処理を進める。
ステップＳ１１３では、ＣＰＵ１１０１は、操作パネル３０００から送信されるジョブ状況取得要求（図７のＳＱ７）の有無を判定する。そして、ジョブ状況取得要求を受信したと判定した場合（Ｓ１１３でＹｅｓ）、ＣＰＵ１１０１は、ステップＳ１１４に処理を進める。ステップＳ１１４では、ＣＰＵ１０１は、本体１０００のジョブ状況を本体１０００の不揮発性メモリ（例えば、ＦＬＡＳＨ ＲＯＭ１１０２やＨＤＤ１４００）から取得して操作パネル３０００に送信し、ステップＳ１０１に処理を戻す。
一方、上記ステップＳ１１３にて、ジョブ状況取得要求を受信していないと判定した場合（Ｓ１１１でＮｏ）、ＣＰＵ１１０１は、そのままステップＳ１０１に処理を戻す。
【００８０】
以下、図８を用いて、実施例１に係る画像形成装置の動作をより具体的に説明する。
図８は、実施例１に係る画像形成装置の動作の一例を示す図である。
ここでは、操作パネル３０００に、予め、設定（３）の「システム状況画面」の初期画面として「ジョブ状況画面」を選択するよう設定しておくものとする。なお、設定（１）は「しない」を設定し、本体１０００にエラーは発生していないものとする。
【００８１】
図８において、（ａ）は、本体１０００から取り外されて非通信状態の操作パネル３０００に表示される画面を示す。本実施例では、非通信状態では図３の画面（ａ）が表示される。
【００８２】
（ｂ）は、本体１０００から取り外されている操作パネル３０００が本体１０００に近づき、本体１０００とメインチャネル通信状態になった際の操作パネル３０００に表示される画面の一例を示す。ここでは、上記初期画面の設定に応じて、操作パネル３０００には、本体１０００がジョブ実行中のジョブ状況を示す画面（ジョブ状況画面）が表示されることになる。
【実施例２】
【００８３】
次に、本発明の実施例２に係る画像形成装置について説明する。
実施例２の画像形成装置は、着脱可能な操作パネル３０００に、予めジョブ状況やジョブ履歴、カウンタ情報、エラー情報、デバイス情報などを表示しておく。そして、取り外されている操作パネル３０００が本体１０００に近づき、通信状態になった際に、上記予め表示していた情報表示画面に応じた情報を本体１０００から取得し、該取得した情報により、その情報表示画面内の表示情報を更新するようにしたものである。即ち、実施例２では、図４に示した実施例１の初期画面設定は用いない。
【００８４】
以下、図９、図７、図１０を参照して、実施例２の画像形成装置における初期画面表示処理について説明する。なお、先に説明した通り、本体１０００と操作パネル３０００は、メインチャネルとして、公知の技術でＩＥＥＥ８０２．１１ｂの無線通信を確立する。図９では、公知の技術である無線通信の確立に係る部分については割愛する。また、本体１０００側の処理については実施例１と同様であるので割愛する。
【００８５】
図９は、実施例２の操作パネル３０００の初期画面表示処理を示したフローチャートである。なお、図９のフローチャートの各ステップは、操作パネル３０００のＣＰＵ３１０１がＦＬＡＳＨ ＲＯＭ３１０７に記録された制御プログラムを読み出して実行することにより実現される。
【００８６】
まず、ステップＳ２０１において、操作パネル３０００のＣＰＵ３１０１は、操作パネル３０００の表示モードの操作を受け付ける。そして、ＣＰＵ３１０１は、表示モードの操作が行われたことを検知すると、該操作で選択された表示モードに対応する情報表示画面（図３（ｂ）〜図３（ｉ））を操作パネル３０００のＬＣＤ３２００に表示するように制御する。この処理により、予め、カウンタ確認画面（図３（ｂ））、エラー画面（図３（ｃ）や図３（ｄ））、デバイス情報画面（図３（ｅ））、ジョブ状況画面（図３（ｆ）や図３（ｇ））、ジョブ状況詳細画面（図３（ｈ））、ジョブ履歴画面（図３（ｉ））等の情報表示画面を操作パネル３０００のＬＣＤ３２００に表示しておくことができる。
【００８７】
次に、ステップＳ２０２において、操作パネル３０００のＣＰＵ３１０１は、メインチャネルの無線通信状態を判定し（通信状態判定処理）、本体１０００と無線通信中か否かを判定する。そして、メインチャネルとしての無線通信による通信中でないと判定した場合（Ｓ２０２でＮｏ）、ＣＰＵ３１０１は、ステップＳ２０３において、本体１０００とメインチャネル通信を確立するための要求（図７のＳＱ１）を装置本体に送信する。なお、メインチャネルの電波が届く範囲に複数の本体がある場合、操作パネル３０００側に、通信可能な複数の本体のＥＳＳＩＤが表示され、そのうちのひとつをユーザに選択させ、該選択されたＥＳＳＩＤの本体に上記要求を送信するものとする。そして、ステップＳ２０４において、ＣＰＵ３１０１は、本体１０００からの通信を許可する旨の応答を受信したかどうかで本体１０００を検出したか否かを判定し、本体１０００を検出するまでステップＳ２０３を繰り返す。
【００８８】
そして、上記ステップＳ２０４において、本体１０００を検出したと判定した場合（Ｓ２０４でＹｅｓ）、ＣＰＵ３１０１は、本体１０００とのメインチャネル通信を確立し、ステップＳ２０５に処理を進める。
【００８９】
ステップＳ２０５では、ＣＰＵ３１０１は、本体１０００の装置ＩＤや有効な機能などの装置情報の確認する（図７のＳＱ２）。詳細には、ＣＰＵ３１０１は、本体１０００に装置情報確認要求（本体１０００の装置ＩＤや有効な機能などの装置情報の確認する要求）送信し、該装置情報を本体１０００から受信する。そして、ステップＳ２０６に処理を進める。
【００９０】
一方、上記ステップＳ２０２において、メインチャネルとしての無線通信により本体１０００と通信中であると判定した場合（Ｓ２０２でＹｅｓ）、ＣＰＵ３１０１は、そのままステップＳ２０６に処理を進める。
【００９１】
ステップＳ２０６では、ＣＰＵ３１０１は、操作パネル３０００が本体１０００上のホームポジション２０００に置かれ、操作パネル３０００と本体１０００とが接続されているか否かを判定する。そして、操作パネル３０００と本体１０００とが接続されていると判定した場合（Ｓ２０６でＹｅｓ）、ＣＰＵ３１０１は、本フローチャートの処理を終了する。
【００９２】
一方、操作パネル３０００と本体１０００とが接続されていないと判定した場合（Ｓ２０６でＮｏ）、ＣＰＵ３１０１は、ステップＳ２０７に処理を進める。
ステップＳ２０７では、ＣＰＵ３１０１は、上記ステップＳ２０１で予め表示している画面が「カウンタ確認画面」か否かを判定する。「カウンタ確認画面」であると判定した場合（Ｓ２０７でＹｅｓ）、ＣＰＵ３１０１は、ステップＳ２０８に処理を進める。
【００９３】
ステップＳ２０８では、ＣＰＵ３１０１は、本体１０００にカウンタ情報の取得要求を行う（図７のＳＱ３）。そして、ステップＳ２０９において、ＣＰＵ３１０１は、本体１０００からカウンタ情報のデータを受信し、該受信したカウンタ情報を表示したカウンタ確認画面（図３の画面（ｂ））を表示する。即ち、受信したカウンタ情報でカウンタ確認画面内の情報を更新する。そして、ステップＳ２３１において、ＣＰＵ３１０１は、カウンタ確認画面（図３の画面（ｂ））が閉じられるまで待機し、該画面が閉じられたら本フローチャートの処理を終了する。
【００９４】
一方、上記ステップＳ２０７において、上記ステップＳ２０１で予め表示した画面が「カウンタ確認画面」でないと判定した場合（Ｓ２０７でＮｏ）、ＣＰＵ３１０１は、ステップＳ２１０に処理を進める。
【００９５】
ステップＳ２１０では、ＣＰＵ３１０１は、上記ステップＳ２０１で予め表示した画面が「エラー画面」か否かを判定する。そして、「エラー画面」であると判定した場合（Ｓ２１０でＹｅｓ）、ＣＰＵ３１０１は、ステップＳ２１１に処理を進める。
【００９６】
ステップＳ２１１では、ＣＰＵ３１０１は、本体１０００にエラー情報の取得要求を行い（図７のＳＱ４）、ステップＳ２１２において、本体１０００からエラー情報のデータを受信する。そして、ステップＳ２１３において、ＣＰＵ３１０１は、上記ステップＳ１１で本体１０００から取得したデータ内にエラー情報が含まれている（即ち、本体１０００でエラー発生中）か否かを判定する。そして、本体１０００から取得したデータ内にエラー情報が含まれていない（本体１０００でエラー発生中でない）と判定した場合（Ｓ２１３でＮｏ）、ＣＰＵ３１０１は、ステップＳ２３０に処理を進める。ステップＳ２３０では、ＣＰＵ３１０１は、コピースタンバイ画面（図３の画面（ｊ））表示し、本フローチャートの処理を終了する。
【００９７】
一方、上記ステップＳ２１３において、本体１０００から取得したデータ内にエラー情報が含まれている（本体１０００でエラー発生中）と判定した場合（Ｓ２１３でＹｅｓ）、ＣＰＵ３１０１は、ステップＳ２１４に処理を進める。
【００９８】
ステップＳ２１４では、ＣＰＵ３１０１は、上記受信したエラー情報を表示したエラー画面を表示する。即ち、受信したエラー情報でエラー画面内の情報を更新する。例えば、本体１０００の前カバー、又は、前カバーが開いているときは、そのカバーが開いている場所を示すエラー画面（図３の画面（ｃ））を表示する。また、本体１０００が印刷中にジャムが発生したときは、そのジャム発生箇所を示すエラー画面（図３の画面（ｄ））を表示する。そして、ステップＳ２３１において、ＣＰＵ３１０１は、上述のエラー画面が閉じられるまで待機し、該画面が閉じられたら本フローチャートの処理を終了する。
【００９９】
一方、上記ステップＳ２１０において、上記ステップＳ２０１で予め表示した画面が「エラー画面」でないと判定した場合（Ｓ２１０でＮｏ）、ＣＰＵ３１０１は、ステップＳ２１５に処理を進める。
【０１００】
ステップＳ２１５では、ＣＰＵ３１０１は、上記ステップＳ２０１で予め表示した画面が「デバイス情報画面」か否かを判定する。そして、「デバイス情報画面」であると判定した場合（Ｓ２１５でＹｅｓ）、ＣＰＵ３１０１は、ステップＳ２１６において、本体１０００にデバイス情報の取得要求を行う（図７のＳＱ５）。そして、ステップＳ２１７において、ＣＰＵ３１０１は、本体１０００からデバイス情報のデータを受信し、該デバイス情報を表示したデバイス情報画面（図３の画面（ｅ））を表示する。即ち、受信したデバイス情報でデバイス情報画面内の情報を更新する。そして、ステップＳ２３１において、ＣＰＵ３１０１は、上述のデバイス情報画面が閉じられるまで待機し、該画面が閉じられたら本フローチャートの処理を終了する。
【０１０１】
一方、上記ステップＳ２１５において、上記ステップＳ２０１で予め表示した画面が「デバイス情報画面」でないと判定した場合（Ｓ２１５でＮｏ）、ＣＰＵ３１０１は、ステップＳ２１８に処理を進める。
ステップＳ２１８では、ＣＰＵ３１０１は、上記ステップＳ２０１で予め表示した画面が「ジョブ履歴画面」か否かを判定する。「ジョブ履歴画面」であると判定した場合（Ｓ２１８でＹｅｓ）、ＣＰＵ３１０１は、本体１０００にジョブ履歴の取得要求を行う（図７のＳＱ６）。そして、ステップＳ２２０において、ＣＰＵ３１０１は、本体１０００からジョブ履歴のデータを受信し、ステップＳ２２１に処理を進める。
【０１０２】
ステップＳ２２１では、ＣＰＵ３１０１は、通信状態になった本体１０００に上記ステップＳ２０１で予め表示したジョブ履歴画面に対応する機能があるか否かを判定する。機能がないと判定した場合（Ｓ２２１でＮｏ）、ＣＰＵ３１０１は、ステップＳ２３０に処理を進める。ステップＳ２３０では、ＣＰＵ３１０１は、コピースタンバイ画面（図３の画面（ｊ））表示し、本フローチャートの処理を終了する。
一方、上記ステップＳ２２１にて、通信状態になった本体１０００に上記ステップＳ２０１で予め表示したジョブ履歴画面に対応する機能があると判定した場合（Ｓ２２１でＹｅｓ）、ＣＰＵ３１０１は、ステップＳ２２２に処理を進める。
ステップＳ２２２では、ＣＰＵ３１０１は、上記ステップＳ２２０で受信したＪＯＢ履歴のデータを表示したＪＯＢ履歴画面（図３−画面（ｉ））に表示する。即ち、受信したジョブ履歴のデータでジョブ履歴画面内の情報を更新する。そして、ステップＳ２３１において、ＣＰＵ３１０１は、上述のジョブ履歴画面が閉じられるまで待機し、該画面が閉じられたら本フローチャートの処理を終了する。
【０１０３】
一方、上記ステップＳ２１８において、上記ステップＳ２０１で予め表示した画面が「ジョブ履歴画面」でないと判定した場合（Ｓ２１８でＮｏ）、ＣＰＵ３１０１は、ステップＳ２２３に処理を進める。
【０１０４】
ステップＳ２２３では、ＣＰＵ３１０１は、上記ステップＳ２０１で予め表示した画面が「ジョブ履歴詳細画面」か否かを判定する。「ジョブ履歴詳細画面」であると判定した場合（Ｓ２２３でＹｅｓ）、ＣＰＵ３１０１は、ステップＳ２１９に処理を進める。
【０１０５】
一方、上記ステップＳ２２３において、上記ステップＳ２０１で予め表示した画面が「ジョブ履歴詳細画面」でないと判定した場合（Ｓ２２３でＮｏ）、ＣＰＵ３１０１は、ステップＳ２２４に処理を進める。
【０１０６】
ステップＳ２２４では、ＣＰＵ３１０１は、上記ステップＳ２０１で予め表示した画面が「ジョブ状況画面」か否かを判定する。「ジョブ状況画面」であると判定した場合（Ｓ２２４でＹｅｓ）、ＣＰＵ３１０１は、ステップＳ２２５において、本体１０００にジョブ状況の取得要求を行う（図７のＳＱ７）。そして、ステップＳ２２６において、ＣＰＵ３１０１は、本体１０００からジョブ状況のデータを受信し、ステップＳ２２７において、該受信したデータに基づいて実行中のジョブが存在するか否かを判定する。
【０１０７】
そして、上記ステップＳ２２７において、実行中のジョブが存在すると判定した場合（Ｓ２２７でＹｅｓ）、ＣＰＵ３１０１は、ステップＳ２２８に処理を進める。ステップＳ２２８では、ＣＰＵ３１０１は、上記受信したジョブ状況のデータを表示したジョブ状況画面（図３の画面（ｆ））を表示する。即ち、上記受信したジョブ状況のデータでジョブ状況画面の表示を更新する。そして、ステップＳ２３１において、ＣＰＵ３１０１は、上述のジョブ状況画面が閉じられるまで待機し、該画面が閉じられたら本フローチャートの処理を終了する。
【０１０８】
一方、上記ステップＳ２２７において、実行中のジョブが存在しないと判定した場合（Ｓ２２７でＮｏ）、ＣＰＵ３１０１は、ステップＳ２３０に処理を進める。ステップＳ２３０では、ＣＰＵ３１０１は、コピースタンバイ画面（図３の画面（ｊ））表示し、本フローチャートの処理を終了する。
【０１０９】
一方、上記ステップＳ２２４において、上記ステップＳ２０１で予め表示した画面が「ジョブ状況画面」でないと判定した場合（Ｓ２２４でＮｏ）、ＣＰＵ３１０１は、ステップＳ２２９に処理を進める。
【０１１０】
ステップＳ２２９では、ＣＰＵ３１０１は、上記ステップＳ２０１で予め表示した画面が「ジョブ状況詳細画面」か否かを判定する。「ジョブ状況詳細画面」であると判定した場合（Ｓ２２９でＹｅｓ）、ＣＰＵ３１０１は、ステップＳ２２５に処理を進める。
【０１１１】
一方、ステップＳ２２９において、上記ステップＳ２０１で予め表示した画面が「ジョブ状況詳細画面」でないと判定した場合（Ｓ２２９でＮｏ）、ＣＰＵ３１０１は、ステップＳ２３０に処理を進める。
【０１１２】
以下、図１０を用いて、実施例２に係る画像形成装置の動作をより具体的に説明する。
図１０は、実施例２に係る画像形成装置の動作の一例を示す図である。
図１０おいて、（ａ）は、本体１０００から取り外されて非通信状態の操作パネル３０００に表示される画面の示す。ここででは、上述した図９のＳ２０１の表示モード操作により予め「ジョブ状況画面」が表示されているものとする。
【０１１３】
（ｂ）は、本体１０００から取り外されている操作パネル３０００が本体１０００に近づき、本体１０００とメインチャネル通信状態になった際の操作パネル３０００に表示される画面の一例を示す。ここでは、上記表示モード操作により表示された画面（ジョブ状況画面）に応じて、操作パネル３０００には、本体１０００がジョブ実行中のジョブ状況がジョブ状況画面として表示されることになる。
【０１１４】
なお、上記各実施例では、本発明の装置として、画像処理装置を例に説明したが、装置本体に着脱可能な操作パネルを有する装置であれば、どのような装置であっても本発明を適用可能である。
【０１１５】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
本発明の様々な例と実施例を示して説明したが、当業者であれば、本発明の趣旨と範囲は、本明細書内の特定の説明に限定されるのではない。
なお、上述した各実施例及びその変形例を組み合わせた構成も全て本発明に含まれるものである。
【０１１６】
以上示したように、本発明によれば、本体１０００と無線通信可能な操作パネル３０００を使用するオペレータが所望とする画像形成装置のある特定の情報を、操作パネル３０００と本体１０００とが無線通信を開始した段階で、いち早く操作パネル３０００上で確認可能することができる。この結果、オペレータがワイヤレス操作パネル３０００を持って本体１０００に近づいたときに、各々のオペレータにとって必要な情報、例えば、ジョブ状況、ジョブ履歴、デバイス情報、エラー情報、カウンタ情報等の、ある特定の情報をいち早く収集することができる。即ち、オペレータはワイヤレス操作パネルを用いて目的に応じた画像形成装置の情報をいち早く取得することができ、1つのワイヤレス操作パネルにより複数の画像形成装置の操作を容易に行うことができる。この結果、ＰＯＤ機等の大型の装置が複数設置された環境でも、装置のエラー処理などを迅速に行うことができる。
即ち、操作パネルの操作対象の装置本体を切り替える再に、設定した操作画面、又は、その前に表示していた操作画面と同じ種類の操作画面を操作パネル上に表示して、接続した装置本体から所望の情報を迅速に取得することができる。
【符号の説明】
【０１１７】
１０００    画像形成装置本体（本体）
２０００    ホームポジション
３０００    操作パネル
【図１】
2011097440.tif 000003
【図２】
2011097440.tif 000004
【図３】
2011097440.tif 000005
【図４】
2011097440.tif 000006
【図５】
2011097440.tif 000007
【図６】
2011097440.tif 000008
【図７】
2011097440.tif 000009
【図８】
2011097440.tif 000010
【図９】
2011097440.tif 000011
【図１０】
2011097440.tif 000012